(57)【特許請求の範囲】
【請求項１】
収容室（１３）の内部が、多段状に配置した複数個の仕切ユニット（Ｕ）で保冷室（１４）と保温室（１５）に区分されており、
左右に対向する収容室（１３）の内面壁の前後に、各仕切ユニット（Ｕ）を連結固定するユニット支持具（５８）が設けられている配膳車であって、
仕切ユニット（Ｕ）は、収容室（１３）の内部を左右に区分する仕切体（３５）と、仕切体（３５）の左右に連結されて収容室（１３）の内部を上下に区分するトレイ受け（３６）とで構成されており、
トレイ受け（３６）は、仕切体（３５）に連結される連結基端側のトレイ受け本体（４６）と、トレイ受け本体（４６）の先端側から、上向きおよび下向きに延設される支持壁（４８）とを含み、
支持壁（４８）が、トレイ受け本体（４６）の先端から下向きに延設される第１支持壁（４８Ａ）と、第１支持壁（４８Ａ）に連続してトレイ受け本体（４６）の先端から上向きに延設される第２支持壁（４８Ｂ）とで構成されており、
ユニット支持具（５８）は、支持壁（４８）の第１支持壁（４８Ａ）を支持する第１支持具（５８Ａ）と、支持壁（４８）の第２支持壁（４８Ｂ）を支持する第２支持具（５８Ｂ）と、ユニット支持具（５８）に連結した支持壁（４８）の前後位置を位置決めする位置決め構造を備えており、
左右のトレイ受け（３６）の支持壁（４８）を、第１・第２の両支持具（５８Ａ・５８Ｂ）に差込み連結することにより、仕切ユニット（Ｕ）を収容室（１３）の内面壁に連結固定でき、
連結状態におけるトレイ受け（３６）の支持壁（４８）が、第１支持具（５８Ａ）および第２支持具（５８Ｂ）で左右動不能に挟持され、位置決め構造で前後方向に位置決めされていることを特徴とする配膳車。
【請求項２】
第１支持壁（４８Ａ）および第２支持壁（４８Ｂ）の下端部および上端部が、それぞれ第１支持具（５８Ａ）および第２支持具（５８Ｂ）と、収容室（１３）の左右の内面壁とで挟持されている請求項１に記載の配膳車。
【請求項３】
第１支持具（５８Ａ）および第２支持具（５８Ｂ）は、収容室（１３）の内面壁に締結される垂直の締結座（５９）と、締結座（５９）に連続する段部（６０）と、収容室（１３）の内面壁と協同して支持壁（４８）を挟持する挟持部（６１）とを備えたクランク状の同一部材からなり、
第１支持具（５８Ａ）と第２支持具（５８Ｂ）は、それぞれ互いの挟持部（６１）が上下に対向する状態で収容室（１３）の左右の内面壁に締結固定されており、
第１支持具（５８Ａ）と第２支持具（５８Ｂ）の段部（６０）どうしの対向間隔が、支持壁（４８）の上下幅よりも僅かに大きく設定されている請求項２に記載の配膳車。
【請求項４】
トレイ受け本体（４６）の前後方向の寸法は、収容室（１３）の前後方向の寸法よりも僅かに小さく設定されており、
第１支持壁（４８Ａ）および第２支持壁（４８Ｂ）が、トレイ受け本体（４６）の左右側縁に沿って連続して形成されている請求項３に記載の配膳車。
【請求項５】
位置決め構造が、第１支持具（５８Ａ）の段部（６０）と、第１支持壁（４８Ａ）の前後に切欠き形成した切欠部（６４）とで構成されており、
左右のトレイ受け（３６）の支持壁（４８）を、第１・第２の両支持具（５８Ａ・５８Ｂ）に差込み連結した状態において、切欠部（６４）が段部（６０）に落込み係合して、支持壁（４８）が前後に位置決めされている請求項３または４に記載の配膳車。
【発明の詳細な説明】
【技術分野】
【０００１】
本発明は、多段状に配置した複数個の仕切ユニットで、食品を収容する収容室の内部が保冷室と保温室に区分されている配膳車に関し、とくに各仕切ユニットを連結固定するユニット支持具の改良に関する。仕切ユニットは、仕切体とトレイ受けとからなる。
【背景技術】
【０００２】
ユニット支持具で仕切ユニットを収容室内に連結固定することは、特許文献１に開示されている。係る特許文献１の冷温蔵装置（冷温配膳車）では、ユニット支持具は、冷蔵室のダクトおよび温蔵室のヒータパネルとにそれぞれ固定された前後一対の支持具で構成している。冷蔵室側の支持具は、円柱状の本体部と、本体部より小径の丸ピンとで構成されており、温蔵室側の支持具は、中心にねじ孔が設けられた円柱状の本体部と、ねじ孔にねじ込まれる頭部付ねじとで構成されている。単位仕切壁の左右両側に支持アームを固定し、各支持アームの突端のそれぞれにトレイ受けを締結してユニット部品化している（以下、このユニット部品を仕切ユニットと言う）。冷蔵室側のトレイ受けには、丸ピンが嵌合可能な嵌合孔が形成されており、温蔵室側のトレイ受けには、ねじの軸部が嵌合可能な嵌合孔と、ねじの軸部を下方から挿通して嵌合孔に導入できる導入溝とが形成されている。仕切ユニットを貯蔵室本体（収容室）に連結固定する際には、まず、仕切ユニットを斜め姿勢にした状態で、冷蔵室側のトレイ受けの嵌合孔を丸ピンに差込み、仕切ユニットを水平姿勢に移行しながら、ねじの軸部を導入溝の側から嵌合孔に導入する。次に、ねじをねじ込んで、温蔵室側の支持具に温蔵室側のトレイ受けを締結固定する。
【０００３】
本発明のユニット支持具においては、仕切ユニットをユニット支持具に対して水平方向に差込んで連結固定するが、同様の配膳車が特許文献２に開示されている。係る特許文献２のユニット支持具は、庫室（収容室）の両側壁の前後縁寄りにそれぞれ設けた第１係合突起および第２係合突起で構成している。トレイ受けユニット（仕切ユニット）は、仕切り壁部材と、仕切り壁部材を貫通するように設けられる２個の横杆と、各横杆の左右端にそれぞれ設けられるトレイ受板とで構成している。トレイ受板のそれぞれに、第１および第２の係合突起を水平方向に挿入可能な第１係合凹溝および第２係合凹溝が設けられており、第１係合突起を第１係合凹溝に、また、第２係合突起を第２係合凹溝に挿入し、トレイ受けユニットの全体を水平方向に差込むことにより、トレイ受けユニットを庫室に連結固定できる。この連結状態では、第１係合突起は、第１係合凹溝内において第１係止小突起に係止され、第２係合突起は、第２係合凹溝内において第２係止小突起に係止されることにより、トレイ受けユニットは、同ユニットの差込み方向（前後方向）において位置保持されている。
【先行技術文献】
【特許文献】
【０００４】
【特許文献１】特許第３５１０１３５号公報
【特許文献２】特許第４６４９０００号公報
【発明の概要】
【発明が解決しようとする課題】
【０００５】
特許文献１の冷温蔵装置では、温蔵室側の支持具にトレイ受けをねじで締結固定するので、貯蔵室本体に対して仕切ユニットの前後方向および左右方向の固定を確実に行って、水平面上における仕切ユニットの移動を阻止できる。しかし、仕切ユニットの装着ないし分離時には、ねじの締緩操作を行う必要があるので、仕切ユニットの着脱作業が煩わしい。
【０００６】
その点、特許文献２の配膳車では、ねじをねじ込む必要がなく、庫室にトレイ受けユニットを差込むだけのワンタッチ操作で、ユニット支持具でトレイ受けユニットを庫室に固定できる。しかし、トレイ受けユニットはトレイの差込方向には位置保持されているものの、トレイの差込方向と直交する方向（左右方向）には位置保持されていないので、トレイ受けユニットが左右にずれ動く余地がある。そのため、配膳車の走行時の振動に加え、トレイ受けユニットが左右にずれ動いて、トレイ上に載置された食器が大きく揺さぶられ、食品がこぼれるおそれがある。また、前後一対の横杆と、左右一対の連結部材と、これら両者に固定される合計４個のトレイ受板と、仕切り壁部材でトレイ受けユニットを構成するので、構成部品点数が多くコストが嵩む。
【０００７】
本発明の目的は、仕切ユニットをワンタッチ操作で収容室に連結固定でき、さらに、収容室の内面壁に対する仕切ユニットの位置決めおよび固定を的確に行って、仕切ユニットを常に適正位置に支持できる、ユニット支持具を備えた配膳車を提供することにある。
【課題を解決するための手段】
【０００８】
本発明の配膳車は、収容室１３の内部が、多段状に配置した複数個の仕切ユニットＵで保冷室１４と保温室１５に区分されており、左右に対向する収容室１３の内面壁の前後に、各仕切ユニットＵを連結固定するユニット支持具５８が設けられている。仕切ユニットＵは、収容室１３の内部を左右に区分する仕切体３５と、仕切体３５の左右に連結されて収容室１３の内部を上下に区分するトレイ受け３６とで構成されている。トレイ受け３６は、仕切体３５に連結される連結基端側のトレイ受け本体４６と、トレイ受け本体４６の先端側から、上向きおよび下向きに延設される支持壁４８とを含む。支持壁４８を、トレイ受け本体４６の先端から下向きに延設される第１支持壁４８Ａと、第１支持壁４８Ａに連続してトレイ受け本体４６の先端から上向きに延設される第２支持壁４８Ｂとで構成する。ユニット支持具５８は、支持壁４８の第１支持壁４８Ａを支持する第１支持具５８Ａと、支持壁４８の第２支持壁４８Ｂを支持する第２支持具５８Ｂと、ユニット支持具５８に連結した支持壁４８の前後位置を位置決めする位置決め構造を備えている。左右のトレイ受け３６の支持壁４８は、第１・第２の両支持具５８Ａ・５８Ｂに差込み連結することにより、仕切ユニットＵを収容室１３の内面壁に連結固定できる。連結状態におけるトレイ受け３６の支持壁４８が、第１支持具５８Ａおよび第２支持具５８Ｂで左右動不能に挟持され、位置決め構造で前後方向に位置決めされていることを特徴とする。ここで言う「収容室１３の内面壁」とは、配膳車が備える左パネル１０および右パネル１１の内面壁と、中央壁１２を構成する冷気ダクト３０のダクト壁と、躯体フレーム７の縦柱７Ａおよび中柱２９の対向面壁を含む概念である。
【０００９】
第１支持壁４８Ａおよび第２支持壁４８Ｂの下端部および上端部を、それぞれ第１支持具５８Ａおよび第２支持具５８Ｂと、収容室１３の左右の内面壁とで挟持する。
【００１０】
第１支持具５８Ａおよび第２支持具５８Ｂは、収容室１３の内面壁に締結される垂直の締結座５９と、締結座５９に連続する段部６０と、収容室１３の内面壁と協同して支持壁４８を挟持する挟持部６１とを備えたクランク状の同一部材からなる。第１支持具５８Ａと第２支持具５８Ｂは、それぞれ互いの挟持部６１が上下に対向する状態で収容室１３の左右の内面壁に締結固定する。第１支持具５８Ａと第２支持具５８Ｂの段部６０どうしの対向間隔を、支持壁４８の上下幅よりも僅かに大きく設定する。
【００１１】
トレイ受け本体４６の前後方向の寸法は、収容室１３の前後方向の寸法よりも僅かに小さく設定する。第１支持壁４８Ａおよび第２支持壁４８Ｂを、トレイ受け本体４６の左右側縁に沿って連続して形成する。
【００１２】
位置決め構造は、第１支持具５８Ａの段部６０と、第１支持壁４８Ａの前後に切欠き形成した切欠部６４とで構成する。左右のトレイ受け３６の支持壁４８を、第１・第２の両支持具５８Ａ・５８Ｂに差込み連結した状態において、切欠部６４が段部６０に落込み係合して、支持壁４８を前後に位置決めする。
【発明の効果】
【００１３】
本発明に係る配膳車においては、ユニット支持具５８が、トレイ受け３６の支持壁４８の上下を支持する第１支持具５８Ａ、および第２支持具５８Ｂと、ユニット支持具５８に連結した支持壁４８の前後位置を位置決めする位置決め構造を備えるようにした。また、左右のトレイ受け３６の支持壁４８を、第１・第２の両支持具５８Ａ・５８Ｂに差込み連結することにより、仕切ユニットＵを収容室１３の内面壁に連結固定できるようにした。そして、連結状態におけるトレイ受け３６の支持壁４８を、第１支持具５８Ａまたは第２支持具５８Ｂのいずれか一方で左右動不能に挟持し、位置決め構造で前後方向に位置決めするようにした。こうした配膳車によれば、左右のトレイ受け３６の支持壁４８をユニット支持具５８に差込むだけのワンタッチ操作で、トレイ受け３６の前後方向（差込方向）および左右方向（差込方向に直交する方向）の遊動を阻止して、仕切ユニットＵを動く余地のない状態で、収容室１３の内面壁に対してユニット支持具５８で確実に連結固定できる。従って、収容室１３の内面壁に対する仕切ユニットＵの位置決めおよび固定を的確に行って、仕切ユニットＵを常に適正位置に支持できる。
【００１４】
トレイ受け本体４６の先端から延設される第１支持壁４８Ａおよび第２支持壁４８Ｂの下端部および上端部を、それぞれ第１支持具５８Ａおよび第２支持具５８Ｂと、収容室１３の左右の内面壁とで挟持した。このように、仕切ユニットＵの配置基準となる収容室１３の左右の内面壁を利用して支持壁４８の上下端部を挟持して連結固定すると、収容室１３の内面壁に対する仕切ユニットＵの位置決めおよび固定をさらに的確に行って、仕切ユニットＵを常に適正位置に安定した状態で支持できる。また、第１支持具５８Ａまたは第２支持具５８Ｂの両方で支持壁４８を挟持するので、さらに確実に支持壁４８の左右方向の遊動を阻止することができる。
【００１５】
第１支持具５８Ａと第２支持具５８Ｂを、それぞれ互いの挟持部６１が上下に対向する状態で収容室１３の左右の内面壁に締結固定し、第１支持具５８Ａと第２支持具５８Ｂの段部６０どうしの対向間隔を、支持壁４８の上下幅よりも僅かに大きく設定するようにした。こうしたユニット支持具５８によれば、第１支持具５８Ａと第２支持具５８Ｂの段部６０どうしの間に、支持壁４８を位置合わせした状態で差込むことにより、支持壁４８の上下および左右を上下の段部６０・６０と、各挟持部６１と、収容室１３の内面壁でガイドしながら、スムーズに差込み連結することができる。また、第１支持具５８Ａおよび第２支持具５８Ｂを、締結座５９、段部６０、および挟持部６１を備えたクランク状の同一部材で構成すると、ユニット支持具５８の部品点数を削減して、配膳車の製造コストを削減することができる。ユニット支持具５８の組付け時に、第１支持具５８Ａおよび第２支持具５８Ｂを識別する必要がないので、組付けの手間を省き、第１支持具５８Ａおよび第２支持具５８Ｂを上下逆に締結固定する組付けミスを排除できる。
【００１６】
トレイ受け本体４６の前後方向の寸法を、収容室１３のそれよりも僅かに小さく設定し、トレイ受け本体４６の左右側縁に沿って連続して第１支持壁４８Ａおよび第２支持壁４８Ｂを形成すると、トレイ受け３６に載置されたトレイＴの側縁と、収容室１３の左右の内面壁との間に、第２支持壁４８Ｂの厚みに相当する隙間を確保することができる。従って、保温室１５側の内面壁内にヒーターなどの加熱構造が配置してあったとしても、トレイＴが先の内面壁に接触するのを確実に防止して、加熱構造によるトレイＴの軟化や変形を解消できる。また、連続する第２支持壁４８ＢでガイドしながらスムーズにトレイＴを出し入れできるので、第２支持壁４８ＢをトレイＴのガイド部材として機能させることができる。別途ガイド部材を設ける場合に比べて構造を簡素化でき、ガイド部材を設けるスペースが必要ない分、収容室１３の幅方向を大きく使用することができる。さらに、支持壁４８をユニット支持具５８に着脱する際に、第１支持壁４８Ａが第１支持具５８Ａの段部６０上を滑りながら差込み連結操作し、あるいは分離操作できるので、仕切ユニットＵの着脱動作を簡便に行うことができる。
【００１７】
第１支持具５８Ａの段部６０と、第１支持壁４８Ａの前後に切欠き形成した切欠部６４とで位置決め構造を構成すると、切欠部６４を段部６０に落込み係合させるだけで支持壁４８を前後に位置決めして、仕切ユニットＵを前後に位置決めした状態で適正に支持できる。また、第１支持具５８Ａの段部６０を利用して位置決めを行うので、第１支持壁４８Ａに切欠部６４を切欠き形成するだけで位置決め構造を形成できる。従って、収容室１３の内面壁に対する仕切ユニットＵの連結固定構造を簡素化して、配膳車の製造コストを低減することができる。
【図面の簡単な説明】
【００１８】
【図１】本発明に係るユニット支持具で仕切ユニットを連結固定した状態を示す一部破断正面図である。
【図２】配膳車の正面図である。
【図３】配膳車の縦断正面図である。
【図４】図３におけるＡ−Ａ線断面図である。
【図５】ユニット支持具で仕切ユニットを連結固定した状態を示す正面図である。
【図６】仕切ユニットの縦断正面図である。
【図７】仕切ユニットの全体斜視図である。
【図８】図１におけるＢ−Ｂ線断面図である。
【図９】ユニット支持具の変形例を示す縦断正面図である。
【図１０】ユニット支持具の取付方法の別実施例を示す縦断正面図である。
【発明を実施するための形態】
【００１９】
（実施例）  図１から図８に本発明に係る配膳車の実施例を示す。本実施例における前後、左右、上下とは、図２から図４に示す矢印と、各矢印の近傍に表記した前後、左右、上下の表示に従う。図２に示すように、本実施例の配膳車は、配膳用のトレイとして平板状の底板の周縁に傾斜面からなる周囲縁が形成された、多数個の平板状トレイＴ（以下、単にトレイＴと言う。）を搭載対象としている。配膳車は、前後が開口する断熱箱体１と、断熱箱体１を支持する台車２と、断熱箱体１の上部に配置される機械室３とで構成されている。台車２は、６個のキャスター４を備えており、これにより、配膳車を前後左右に自在に走行させることができる。台車２の周囲にはバンパー５が設けられており、このバンパー５で壁面などとの接触衝撃を緩衝できる。機械室３は、機械室カバー３Ａで覆われており、外面からは機械室３の内部を視認できない。
【００２０】
図３に示すように、断熱箱体１は、躯体フレーム７と、躯体フレーム７の上下面を塞ぐ天井パネル８および底面パネル９と、躯体フレーム７の左右面を塞ぐ左パネル１０と右パネル１１とで構成されている。断熱箱体１の左右中央には、前後端にわたって中央壁１２が設けられており、これにより、断熱箱体１の内部空間は、左右２個の収容室１３・１３に区画され、さらに、収容室１３のそれぞれは、多段状に配置した複数個の仕切ユニットＵで保冷室１４と保温室１５とに区分される。仕切ユニットＵの詳細については後述する。
【００２１】
図２および図４に示すように、各収容室１３の開口面は、観音開き構造の一対のドア１７・１７で揺動開閉できるようになっており、各ドア１７は、開口面の両側の上下に配置したドアヒンジ１８で支持されている。ドア１７の内面（収容室側）の四周縁部には、ドアパッキン１９が設けられている。ドアパッキン１９の内部には棒状の磁石（図示していない）が配置されており、この磁石と開口面の周縁壁（鋼板）との磁気吸着作用で、ドア１７と断熱箱体１との接合部分をドアパッキン１９で封止し、さらにドア１７を閉じ状態に保持している。
【００２２】
図３に示すように、機械室３には、保冷室１４に供給する冷気を生成するための冷凍機器が収容されている。冷凍機器は、圧縮機２１、凝縮器２２、送風ファン２３、および蒸発器２４などで構成されており、蒸発器２４は、断熱箱体１の上部の略中央に配置された熱交換ボックス２５の内部に冷却ファン２６とともに配置されている。図３において符号２７は、保冷室１４および保温室１５の温度を制御する制御部と、外部からの電源を受取るコネクタとが設けられた制御装置であり、符号Ｈは、配膳車を走行させる際に使用するハンドルを示す。
【００２３】
図４に示すように、中央壁１２は、躯体フレーム７の前後において上桟と下桟との中央部どうしを連結する中柱２９・２９と、両中柱２９・２９の間に設けられる冷気ダクト３０とで構成されており、冷気ダクト３０の内部には冷気吹出し通路と冷気吸込み通路が区画されている。冷気吹出し通路に臨む冷気ダクト３０の壁面および冷気吸込み通路に臨む冷気ダクト３０の壁面には、一群の吹出口３１と一群の吸込口３２とが設けられており、冷気ダクト３０の内部は、熱交換ボックス２５内と連通されている。冷却ファン２６を駆動すると、一群の吹出口３１から冷気を吹出し、一群の吸込口３２から冷気を吸込んで冷気を循環させることができる。これにより、区画構造で区分される収容室１３の中央壁１２側が、保冷室１４として機能し、残る左右のパネル１０・１１側が保温室１５として機能する。
【００２４】
図３に示すように、左パネル１０および右パネル１１の内部には、それぞれパネルヒーター３３が設けられており、パネルヒーター３３を駆動することにより、その輻射熱が保温室１５に放射されて保温室１５内を加熱できる。図示していないが、保温室１５に臨む左パネル１０および右パネル１１の壁面には、遠赤外線放射塗料が塗布されており、パネルヒーター３３の熱を効率よく保温室１５内に放射できるようになっている。
【００２５】
図５に示すように、仕切ユニットＵは、収容室１３の内部を左右に区分する仕切体３５と、仕切体３５の左右に連結されて収容室１３の内部を上下に区分するトレイ受け３６とで構成されており、左右に対向する収容室１３の内面壁の前後に設けたユニット支持具５８で、収容室１３の内面壁に連結固定される。ユニット支持具５８については後述する。
【００２６】
図６および図７に示すように、仕切体３５は、前後方向に長いコ字型チャンネル材状の左右一対のベース枠３８と、ベース枠３８の前後端に固定される一対の端面キャップ３９と、一対のベース枠３８の間の内部に配置される断熱体４０とを備えている。また、仕切体３５は、一対のベース枠３８の間に配置されて仕切体３５の下面から出退自在に設けられる２個のメインシャッター４１と、仕切体３５の上面から出退自在に設けられる３個のサブシャッター４２と、各サブシャッター４２の間に設けられるシール体４３とを備えている。一対のベース枠３８は、収容室１３の前後方向の寸法よりも僅かに小さく設定されており、アルミニウム合金を素材として前後方向を押出方向とする同一構造の押出成形品で形成されている。
【００２７】
仕切体３５は、断熱体４０を左右のベース枠３８・３８で挟み込み、断熱体４０の上面略中央に設けた挿入凹部に中央のサブシャッター４２を上方から差込み係合させて左右のベース枠３８・３８に固定する。次に、左右のベース枠３８・３８の前後からそれぞれシール体４３とサブシャッター４２・４２を順に差込み、一方の端面キャップ３９をビスＳで固定する。次に、２個のメインシャッター４１・４１を左右のベース枠３８・３８の下端の間に差込む。最後に、残る端面キャップ３９をビスＳで固定することにより組立てられる。端面キャップ３９には、吸着板４４が設けられており、この吸着板４４に、ドア１７の揺動先端側のドアパッキン１９が磁気吸着して、ドア１７と仕切体３５との間を封止し、冷気および加温空気が収容室１３の外部へ漏れ出すのを防止している。また、メインシャッター４１およびサブシャッター４２は、保冷室１４の冷気、あるいは保温室１５の加温空気が、上下に隣接する仕切体３５の間を行き来するのを阻止している。なお、最下段の仕切ユニットＵの仕切体３５は、メインシャッター４１を備えておらず、その分上下寸法が小さく形成されている。
【００２８】
図６および図７に示すように、トレイ受け３６は、ベース枠３８と略同一の前後長さを有し、仕切体３５に連結される連結基端側のトレイ受け本体４６と、トレイ受け本体４６のベース枠３８側から下方に延設されてベース枠３８の側面に当接する当接壁４７と、トレイ受け本体４６の先端側から延設される支持壁４８とを備えている。支持壁４８は、トレイ受け本体４６の先端から下向きに延設される第１支持壁４８Ａと、第１支持壁４８Ａに連続してトレイ受け本体４６の先端から上向きに延設される第２支持壁４８Ｂとで構成されている。第１および第２支持壁４８Ａ・４８Ｂは、トレイ受け本体４６の前後端にわたって連続して形成されている。トレイ受け本体４６の下面には、前後方向に伸びる補強リブ４９が、所定間隔を置いて左右に並列する状態で形成されている。また、トレイ受け本体４６には、２個の開口５０・５０が開設されており、これにより、平面視においてトレイ受け本体４６は漢字の「日」状に形成されている。
【００２９】
トレイ受け３６は、アルミニウム合金を素材として前後方向を押出方向とする押出成形品に切断加工および打抜き加工を施して形成されている。具体的には、バンドソーなどの切断装置で押出成形品を所定寸法に切断したのち、２個の開口５０・５０をプレス装置で打抜いて形成している。本実施例では、保冷室１４の左右方向の寸法は、保温室１５の左右方向の寸法よりも小さいため、トレイ受け本体４６の左右方向の寸法が異なる保冷室１４用のトレイ受け３６Ｂと、保温室１５用のトレイ受け３６Ａとを用意した。上記のように、補強リブ４９を形成したトレイ受け本体４６を備える押出成形品からなるトレイ受け３６によれば、トレイ受け本体４６の捩れや撓みに対する構造強度を向上できる。
【００３０】
図６に示すように、仕切体３５と一対のトレイ受け３６とは、ベース枠３８の前後方向にわたって突設される断面Ｌ字状の連結突起５２と、トレイ受け３６の当接壁４７の前後方向にわたって設けられて連結突起５２にスライド連結されるＬ字状のスライド溝５３とを嵌合させて連結している。当接壁４７は連結壁５４を備えており、この連結壁５４にスライド溝５３が形成されている。連結壁５４およびスライド溝５３は、トレイ受け３６の押出成形時に同時に形成される。一対のトレイ受け３６は、各スライド溝５３に各連結突起５２をスライド連結した状態で、ベース枠３８の前後端に端面キャップ３９・３９をビスＳで固定して、端面キャップ３９の左右の側面に形成した規制突起５５で、トレイ受け３６の前後動を規制することにより、仕切体３５と一対のトレイ受け３６とは仕切ユニットＵとして一体化される。
【００３１】
図４に示すように、ユニット支持具５８は、左右に対向する収容室１３の内面壁の前後に、４個を１組にして一定の上下間隔をおいて６段設けられている。詳しくは、ユニット支持具５８は、躯体フレーム７の左右前後の縦柱７Ａと、左右中央に配置した前後一対の中柱２９との対向面のそれぞれに締結固定されている。本実施例における収容室１３の内面壁とは、左パネル１０および右パネル１１の内面壁と、冷気ダクト３０（中央壁１２）のダクト壁と、縦柱７Ａおよび中柱２９の対向面壁のことを言う。
【００３２】
図１および図８に示すように、ユニット支持具５８は、同一部材からなる第１支持具５８Ａと第２支持体５８Ｂとで構成されている。第１支持具５８Ａおよび第２支持具５８Ｂは、躯体フレーム７の縦柱７Ａまたは中柱２９に締結される垂直の締結座５９と、締結座５９の先端に連続する段部６０と、躯体フレーム７の縦柱７Ａまたは中柱２９と協同して支持壁４８を挟持する挟持部６１とを備えたクランク状に構成されている。第１支持具５８Ａと第２支持具５８Ｂは、それぞれ互いの挟持部６１が上下に対向する状態で、躯体フレーム７の縦柱７Ａまたは中柱２９にリベット６２で締結固定されている。躯体フレーム７の縦柱７Ａと中柱２９は断熱箱体１の構造躯体であり、これら躯体フレーム７の縦柱７Ａまたは中柱２９に第１および第２支持具５８Ａ・５８Ｂを締結固定するので、ユニット支持具５８を強固に固定することができ、これにより、ユニット支持具５８に連結固定される仕切ユニットＵの位置決めおよび固定を的確に行って、仕切ユニットＵを常に適正位置に支持できる。躯体フレーム７の縦柱７Ａまたは中柱２９と挟持部６１との対向隙間寸法は、支持壁４８の厚み寸法と略同一に設定しており、また、上下に向かい合う両段部６０の対向間隔は、支持壁４８の上下幅よりも僅かに大きく設定している。
【００３３】
図８に示すように、位置決め構造は、第１支持具５８Ａの段部６０と、第１支持壁４８Ａの前後に切欠き形成した切欠部６４とで構成されている。左右のトレイ受け３６の支持壁４８を、第１・第２の両支持具５８Ａ・５８Ｂに差込み連結した状態において、切欠部６４が段部６０に落込み係合して、支持壁４８が前後に位置決めされる。このとき、第２支持具５８Ｂの挟持部６１の下端は、トレイ受け３６に載置されたトレイＴの上端よりも上方に位置しているので（図５参照）、トレイＴを抜差しする際に、トレイＴが挟持部６１に接触することはない。
【００３４】
図１に示すように、左右のトレイ受け３６の支持壁４８を、第１・第２の両支持具５８Ａ・５８Ｂに差込み連結したとき、切欠部６４が段部６０に落込み係合して各切欠部６４部分の第１支持壁４８Ａの下端面が、第１支持具５８Ａの段部６０で受止め支持される。この連結状態において、保温室１５側の第１および第２支持壁４８Ａ・４８Ｂは、その外側の面が躯体フレーム７の縦柱７Ａおよび左パネル１０および右パネル１１の壁面に密着する状態で、挟持されている。また、保冷室１４側の第１および第２支持壁４８Ａ・４８Ｂは、その外側の面が中柱２９および冷気ダクト３０のダクト壁面に密着する状態で、挟持されている。従って、トレイ受け３６の支持壁４８の前後方向（差込方向）および左右方向（差込方向に直交する方向）の遊動を阻止できる。
【００３５】
仕切ユニットＵは、収容室１３の前面側（または後面側）から左右の支持壁４８を対応するユニット支持具５８に差込むことで収容室１３の内面壁に支持固定する。なお、最上段には、仕切体３５をブラケット（図示していない）で天井パネル８に予め固定している。組付けに際しては、まず、手前側に位置するユニット支持具５８に支持壁４８を差込む。躯体フレーム７または中柱２９と第１および第２挟持部６１との隙間に、左右の第１および第２支持壁４８Ａ・４８Ｂを差込み、仕切ユニットＵを収容室１３内に押し込んで、第１支持具５８Ａの段部６０に支持壁４８を支持させる。次に、この状態から仕切ユニットＵをさらに収容室内に押し込む。このとき、差込み先端側の切欠部６４が、段部６０を乗り越えた以降は、スムーズに押し込むことができる。次に、後側のユニット支持具５８に支持壁４８を先と同様に差込み、第１支持具５８Ａの段部６０に支持壁４８を支持させる。最後に、前後左右４箇所の切欠部６４を第１支持具５８Ａの段部６０に落込み係合させることにより、仕切ユニットＵを収容室１３に支持固定できる。仕切ユニットＵを上側あるいは下側から順次固定して、すべての仕切ユニットＵを固定することで、収容室１３内が保冷室１４と保温室１５に区分される。
【００３６】
図１０にユニット支持具５８の取付方法の別実施例を示す。そこでは、躯体フレーム７の縦柱７Ａおよび中柱２９にスリット６６を形成し、スリット６６に第１支持具５８Ａおよび第２支持具５８Ｂの支持片６０を挿入して、締結座５９が縦柱７Ａまたは中柱２９の内面側に位置する状態で、リベット６２で締結固定した。このように、支持片６０をスリット６６に挿入した状態で第１支持具５８Ａおよび第２支持具５８を固定すると、リベット６２まわりに第１支持具５８Ａおよび第２支持具５８Ｂが回転するのをスリット６６で規制できるので、第１支持具５８Ａおよび第２支持具５８Ｂの姿勢が変わることがなく、縦柱７Ａまたは中柱２９に確りと固定することができる。他は先の実施例と同じであるので、同じ部材に同じ符号を付してその説明を省略する。
【００３７】
以上のように、本実施例に係る配膳車のトレイ支持具５８においては、左右のトレイ受け３６の支持壁４８を、第１・第２の両支持具５８Ａ・５８Ｂに差込み連結することにより、仕切ユニットＵを収容室１３の内面壁に連結固定できるようにし、連結状態におけるトレイ受け３６の支持壁４８を、第１支持具５８Ａまたは第２支持具５８Ｂのいずれか一方で左右動不能に挟持し、位置決め構造で前後方向に位置決めするようにした。このようなトレイ支持具５８によれば、左右のトレイ受け３６の支持壁４８をユニット支持具５８に差込むだけのワンタッチ操作で、トレイ受け３６の前後方向（差込方向）および左右方向（差込方向に直交する方向）の遊動を阻止して、仕切ユニットＵを動く余地のない状態で、収容室１３の内面壁に対してユニット支持具５８で確実に連結できる。従って、収容室１３の内面壁に対する仕切ユニットＵの位置決めおよび固定を的確に行って、仕切ユニットＵを常に適正位置に支持できる。
【００３８】
トレイ受け本体４６の先端から延設される第１支持壁４８Ａおよび第２支持壁４８Ｂの下端部および上端部を、それぞれ第１支持具５８Ａおよび第２支持具５８Ｂと、躯体フレーム７の縦柱７Ａおよび中柱２９とで挟持した。このように、仕切ユニットＵの配置基準となる収容室１３の左右の内面壁を利用して支持壁４８の上下端部を挟持して連結固定すると、収容室１３の内面壁に対する仕切ユニットＵの位置決めおよび固定をさらに的確に行って、仕切ユニットＵを常に適正位置に安定した状態で支持できる。また、第１支持具５８Ａまたは第２支持具５８Ｂの両方で支持壁４８を挟持するので、さらに確実に支持壁４８の左右方向の遊動を阻止することができる。
【００３９】
配膳車の上下のトレイ受け本体４６の対向間隔Ｗ（図５参照）は、トレイＴとトレイＴに載置する食器の高さ寸法に加え、トレイ受け本体４６が食器に接触しないように、充分な余裕隙間を含んで設定している。本実施例のように、仕切ユニットＵが遊動するのを阻止して、仕切ユニットＵを常に適正位置に支持することにより、前記余裕隙間を小さくすることができ、配膳車の全高を低く抑えることができる。
【００４０】
第１支持具５８Ａと第２支持具５８Ｂを、それぞれ互いの挟持部６１が上下に対向する状態で収容室１３の左右の内面壁に締結固定し、第１支持具５８Ａと第２支持具５８Ｂの段部６０どうしの対向間隔を、支持壁４８の上下幅よりも僅かに大きく設定したので、第１支持具５８Ａと第２支持具５８Ｂの段部６０どうしの間に、支持壁４８を位置合わせした状態で差込むことにより、支持壁４８の上下および左右を上下の段部６０・６０と、各挟持部６１と、躯体フレーム７の縦柱７Ａおよび中柱２９でガイドしながら、スムーズに差込み連結することができる。また、第１支持具５８Ａおよび第２支持具５８Ｂを、締結座５９、段部６０、および挟持部６１を備えたクランク状の同一部材で構成したので、ユニット支持具５８の部品点数を削減して、配膳車の製造コストを削減することができる。ユニット支持具５８の組付け時に、第１支持具５８Ａおよび第２支持具５８Ｂを識別する必要がないので、組付けの手間を省き、第１支持具５８Ａおよび第２支持具５８Ｂを上下逆に締結固定する組付けミスを排除できる。
【００４１】
トレイ受け本体４６の前後方向の寸法を、収容室１３のそれよりも僅かに小さく設定し、トレイ受け本体４６の左右側縁に沿って連続して第１支持壁４８Ａおよび第２支持壁４８Ｂを形成したので、トレイ受け３６に載置されたトレイＴの側縁と、収容室１３の左右の内面壁との間に、第２支持壁４８Ｂの厚みに相当する隙間を確保することができる。従って、左パネル１０と右パネル１１の内部にパネルヒーター３３が配置されている場合でも、トレイＴが先の内面壁に接触するのを確実に防止して、パネルヒーター３３の熱によるトレイＴの軟化や変形を解消できる。また、連続する第２支持壁４８ＢでガイドしながらスムーズにトレイＴを出し入れできるので、第２支持壁４８ＢをトレイＴのガイド部材として機能させることができる。別途ガイド部材を設ける場合に比べて構造を簡素化でき、ガイド部材を設けるスペースが必要ない分、収容室１３の幅方向を大きく使用することができる。さらに、支持壁４８をユニット支持具５８に着脱する際に、第１支持壁４８Ａが第１支持具５８Ａの段部６０上を滑りながら差込み連結操作し、あるいは分離操作できるので、仕切ユニットＵの着脱動作を簡便に行うことができる。
【００４２】
第１支持具５８Ａの段部６０と、第１支持壁４８Ａの前後に切欠き形成した切欠部６４とで位置決め構造を構成したので、切欠部６４を段部６０に落込み係合させるだけで支持壁４８を前後に位置決めして、仕切ユニットＵを前後に位置決めした状態で適正に支持できる。また、第１支持具５８Ａの段部６０を利用して位置決めを行うので、第１支持壁４８Ａに切欠部６４を切欠き形成するだけで位置決め構造を形成できる。従って、収容室１３の内面壁に対する仕切ユニットＵの連結固定構造を簡素化して、配膳車の製造コストを低減することができる。
【００４３】
図９はユニット支持具５８の変形例を示す。図９では、先の実施例の締結座５９の上下寸法を大きくして、締結座５９の中途部に段部６０を形成した。締結座５９と挟持部６１との対向間隔は、第１および第２支持壁４８Ａ・４８Ｂの厚み寸法と略同一に設定している。ユニット支持具５８に支持壁４８を連結した状態では、支持壁４８の切欠部６４が段部６０に落込み係合して各切欠部６４部分の第１支持壁４８Ａの下端面が、第１支持具５８Ａの段部６０で受止め支持され、第１および第２支持壁４８Ａ・４８Ｂが、第１および第２支持具５８Ａ・５８Ｂの締結座５９と挟持部６１とに挟持される。それ以外の点は、先の実施例と同様であるので、同一の部材には同様の符号を付して、その説明を省略する。このように、締結座５９と挟持部６１とで第１および第２支持壁４８Ａ・４８Ｂを挟持すると、支持壁４８を収容室１３の左右の内壁面と隙間を介して正対する状態で支持固定できる。従って、先の隙間の分だけトレイＴを左パネル１０および右パネル１１の壁面から遠ざけて、パネルヒーター３３の熱がトレイＴに伝わるのをさらに確実に防止し、トレイＴが軟化し変形するのをさらに効果的に解消できる。また、仕切ユニットＵの着脱時に、左右パネル１０・１１に塗布された遠赤外線放射塗料に支持壁４８が接触することがなく、塗料が剥離するのを防止できる。
【００４４】
上記の実施例では、仕切体３５と一対のトレイ受け３６とは連結突起５２とスライド溝５３とで連結したが、当接壁４７をベース枠３８にビスやリベットで締結固定して、仕切体３５と一対のトレイ受け３６とを連結することができる。保冷室１４の左右方向（幅方向）の寸法は、保温室１５のそれよりも小さくしたが、逆の関係であってもよく、または同じであってもよい。保冷室１４と保温室１５の左右方向の寸法が同じである場合には、トレイ受け３６Ａ・３６Ｂは同一部材で構成できる。位置決め構造は、支持壁４８と収容室１３の内壁面またはユニット支持具５８とに設けた、凹凸係合構造や爪係合構造であってもよい。ユニット支持具５８は、第１支持具５８Ａと第２支持具５８Ｂとをリベット６２で締結固定して設けたが、縦柱７Ａおよび中柱２９にプレス機で切起こし加工を施して、ユニット支持具５８を縦柱７Ａおよび中柱２９と一体に形成することができる。
【符号の説明】
【００４５】
１３  収容室
１４  保冷室
１５  保温室
３５  仕切体
３６  トレイ受け
４６  トレイ受け本体
４８  支持壁
４８Ａ  第１支持壁
４８Ｂ  第２支持壁
５８  ユニット支持具
５８Ａ  第１支持具
５８Ｂ  第２支持具
５９  締結座
６０  段部
６１  挟持部
６４  切欠部
Ｕ  仕切ユニット
【図１】
0006378967.tif 000002
【図２】
0006378967.tif 000003
【図３】
0006378967.tif 000004
【図４】
0006378967.tif 000005
【図５】
0006378967.tif 000006
【図６】
0006378967.tif 000007
【図７】
0006378967.tif 000008
【図８】
0006378967.tif 000009
【図９】
0006378967.tif 000010
【図１０】
0006378967.tif 000011